(57)【特許請求の範囲】
【請求項１】
抽斗（1）の左右両側に中身側引き出しレール（5）と、外身側キャリヤレール（3）とをそれぞれ１つずつ備え、これらのキャリヤレール（3）と引き出しレール（5）との間に中間レール（6）をスライド可能な状態で配置し、引き出しレール（5）は抽斗フレーム（4）に挿入されて固定されており、引き出しレール（５）がその後部のエンドポジションに達する前に、当該引き出しレール（5）のスライド・イン運動を制動するダンパー（１０）を備えた引き出し案内具付属品において、
このダンパー（１０）が引き出しレール（５）と、引き出しレール（５）の上をスライド可能な方法で案内されるトラベラー（９）との間で作用し、このトラベラー（９）は１つのストッパー（８）を備え、引き出しレール（５）がそのエンドポジションに達する前に、外身側キャリアレール（３）または中間レール（６）に、トラベラー（9）のストッパー（8）がぶつかることを特徴とする引き出し案内具付属品。
【請求項２】
ダンパー（１０）がトラベラー（９）の上またはその中に取り付けられ、その際引き出しレール（５）がダンパー（１０）に対する受け具（１５）を備えることを特徴とする、請求項１に記載の引き出し案内具付属品。
【請求項３】
トラベラー（９）のストッパー（８）が外身側レール（３）の前部末端（１４）とぶつかることを特徴とする、請求項１または２に記載の引き出し案内具付属品。
【請求項４】
引き出し案内具付属品が中間レール（６）を持つ場合、引き出しレール（５）と中間レール（６）を後部の運動領域でたがいに結合する結合具を備えることを特徴とする、請求項１から３までのいずれか１項に記載の引き出し案内具付属品。
【請求項５】
ダンパー（１０）が流体ダンパーであることを特徴とする、請求項１から４までのいずれか１項に記載の引き出し案内具付属品。
【請求項６】
ダンパー（１０）がシリンダー内を線形に運動するピストンを備えることを特徴とする、請求項１から５までのいずれか１項に記載の引き出し案内具付属品。
【請求項７】
流体として液体を使用することを特徴とする、請求項５または６に記載の引き出し案内具付属品。
【請求項８】
流体ダンパーが空気ダンパーとして作られていることを特徴とする請求項５または６に記載の引き出し案内具付属品。
【請求項９】
トラベラー（９）が引き出しレール（５）の前部末端に配置されていることを特徴とする、請求項１から８までのいずれか１項に記載の引き出し案内具付属品。
【請求項１０】
トラベラー（９）の案内具（１７）が引き出しレール（５）に取り付けられるかあるいはそこに成形され、受け具（１５）はその案内具に形成されていることを特徴とする、請求項１から９までのいずれか１項に記載の引き出し案内具付属品。
【請求項１１】
トラベラー（９）がハウジング状に形成され、ダンパー（１０）がトラベラー（９）の中空部に挿入されていることを特徴とする、請求項１から１０までのいずれか１項に記載の引き出し案内具付属品。
【請求項１２】
トラベラー（９）の中にネジ（１３）が取り付けられ、このネジによってダンパー（１０）のシリンダーをトラベラー（９）の中に固定できることを特徴とする、請求項１１に記載の引き出し案内具付属品。
【請求項１３】
トラベラー（９）のための案内具（１７）がトラベラーをＵ字形に把握することを特徴とする、請求項１から１２までのいずれか１項に記載の引き出し案内具付属品。
【請求項１４】
トラベラー（９）のストッパー（８）が下方に突出することを特徴とする、請求項１から１３までのいずれか１項に記載の引き出し案内具付属品。
【請求項１５】
トラベラー（９）が引き出しレール（５）の滑り面の上側をスライド可能な方法で案内されることを特徴とする、請求項１から１４までのいずれか１項に記載の引き出し案内具付属品。
【請求項１６】
ダンパー（１０）が、トラベラー（９）にチルト可能な状態で取り付けられたスリーブ（２７）の中に保持されていることを特徴とする、請求項１から１５までのいずれか１項に記載の引き出し案内具付属品。
【発明の詳細な説明】
【０００１】
【発明の属する技術分野】
本発明は、次のような抽斗用引き出し案内具付属品に関する。すなわち、抽斗の左右両側に中身側引き出しレールをそれぞれ１つずつ、外身側キャリヤレールをそれぞれ１つずつ備え、その際、場合によってはキャリヤレールと引き出しレールの間に中間レールをスライド可能な状態で配置し、引き出しレールは好ましくは抽斗フレームに挿入されてそこに固定されており、そしてまたダンパーを備え、このダンパーは、引き出しレールが後部のエンドポジションに達する前に、引き出しレールのスライド・イン運動を制動する、このような引き出し案内具付属品に関する。
【０００２】
【従来の技術及び発明が解決しようとする課題】
本発明の課題は、このダンパーをよりよい方法で引き出し案内具付属品に組み込むことである。
【０００３】
【課題を解決するための手段】
本発明の課題は、次のようにして解決される。すなわち、このダンパーが引き出しレールと、引き出しレール上をスライド可能な方法で案内されるトラベラーとの間で作用し、この場合トラベラーは１つのストッパーを備え、引き出しレールがそのエンドポジションに達する前に、外身側レールまたは中間レールで、トラベラーがストッパーにぶつかるようにする。
【０００４】
このダンパーをトラベラーの上またはその中に取り付け、その際引き出しレールがダンパーに対する受け具を備えるようにすれば有利である。
【０００５】
さらには、このダンパーを流体ダンパーとして形成し、その際ダンピング媒体として空気または液体、好ましくはオイルを使用すれば有利である。
【０００６】
【発明の実施の形態】
下記に添付の図面を用いて、本発明の実施形態を説明する。本発明の引き出し案内具付属品は、抽斗１の左右いずれの側にも、外身側壁２に固定されたキャリヤレール３を１つずつ、抽斗１の抽斗フレーム４の内部に配置された引き出しレール５を１つずつ、そしてレール３と５の間に繰り出される中間レール６を１つずつ備える。
【０００７】
レール３、５、６の間の荷重は、在来型の方法でローラーおよび／または滑り面を介して、好ましくは台車に取り付けられたローラを介して伝達される。
【０００８】
ダンパー装置７は引き出しレール５に取り付けられて、トラベラー９とダンパー１０からなり、このダンパーは図１〜９の実施形態ではトラベラー９に取り付けられている。ここに示した２つの実施形態とも、ダンパー１０は、シリンダーとその中を線形にスライド可能なピストンを持つ流体ダンパーとして形成されている。このピストンはピストンロッド１１を備え、このピストンロッドには、図１〜９の実施形態ではタペット１２を取り付けられている。ダンパー１０は、空気ダンパーとしても、液体ダンパーとしても形成することができる。トラベラー９はストッパー８を備える。トラベラー９はハウジング状に作られて、ダンパー１０はトラベラー９に挿入されており、ネジ１３によりトラベラー９に保持される。
【０００９】
抽斗１を閉じるとき、トラベラー９のストッパー８が前部末端１４にぶつかる。キャリヤレール３とトラベラー９はそれ以上動かすことはできない。しかし引き出しレール５は、抽斗１とともにさらに家具外身の中に動かされ、その際その受け具１５がタペット１２を押し、それとともにダンパー１０のピストンが、ダンパー液または空気の抵抗に逆らってシリンダーに押し込まれる。これにより抽斗１のスライド・イン運動に対するソフトな制動が生じ、前板１６と外身側壁２との強い衝突が防止される。
【００１０】
ここに示す実施形態の受け具１５は、引き出しレール５に直接には設けられず、ダンパー装置７の保持具１７の一部であって、このダンパー装置が引き出しレール５と剛性連結されている。受け具１５はこの場合、スリット１８を通ってトラベラー９の中に突出している。トラベラー９は、保持具１７によってＵ字形に把握される。
【００１１】
抽斗１が開かれると、トラベラー９は、ダンパー１０に組み込まれているスプリングによって、ふたたびスタンバイポジションにおかれる。図７および９では、ダンパー装置７のポジションをわかりやすくするため、前板１６のための固定装置１９をも示している。
【００１２】
図１０〜１２は、トラベラー９が中間レール６の前部末端にぶつかる実施形態を示す。引き出しレール５がトラベラー９からさらに後方に動かされると、ダンパー１０のピストンはシリンダーの中に押し込まれ、抽斗１のスライド・イン運動に制動がかかる。
【００１３】
この実施形態ではダンパー１０がスリーブ２７の中に取り付けられ、このスリーブはチルト可能な状態でトラベラー９に蝶番連結されている。ダンパー１０のピストンロッド１１の自由な末端は、引き出しレール５に取り付けられている。制動作用の間、ダンパー１０はわずかなチルト運動を行う。
【００１４】
トラベラー９にはフック２６が設けられ、このフックは中間レール６がスライド・インしたポジションでこれを把握する。ここに示した実施形態では、キャリヤレール３の後方末端に差込装置２０が配置されている。中間レール６には摩擦車２１を取り付けるが、この摩擦車には場合によってはギヤリムを設けることもできる。
【００１５】
中間レール６の前部末端に結合装置を設け、この装置により中間レール６を引き出しレール５と結合できるようにする。結合装置は、チルト可能な方法で中間レール６に取り付けられたレバー２２を備え、このレバーは結合ポジションで、引き出しレール５のバルジ２３と噛み合う。
【００１６】
閉動作開始時、中間レール６と引き出しレール５はたがいに異なる速度でスタートする。摩擦車２１が摩擦面２４に接触し、引き出しレール５は摩擦車２１に支持されているからである。
【００１７】
中間レール６と引き出しレール５が図２に示したポジションに達すると、摩擦車２１は摩擦面２４を離れ、摩擦車２１の制御作用は中止される。その代わりに引き出しレール５のストッパー２５が中間レール６の前部末端に当たり、中間レール６は引き出しレール５によって、さらに外身の中にスライド・インされる。
【００１８】
中間レール６と引き出しレール５が図３に示したポジションに達すると、結合装置のレバー２２はキャリヤレール３または摩擦面２４の前部末端とぶつかり、垂直ポジションにチルトされ、引き出しレール５のバルジ２３と噛み合う。それにより引き出しレール５は中間レール６と結合し、両者のレール５、６はいっしょに閉方向にさらに動いて、ついにはトラベラー９のストッパー８がキャリヤレール３の前部末端とぶつかる。
【００１９】
抽斗１がさらに少し内側に動くと、中間レール６と差込装置２０との結合が生じ、その際差込装置２０が中間レール６の後部末端に噛み込む。ここで中間レール６は引き出しレール５といっしょに、家具外身にさらに引き込まれ、その際この運動はダンパー１０によって制動を受ける。従って抽斗の家具外身へのスライド・インが非常に静かになる。
【００２０】
抽斗１を引き出すとき、当初は引き出しレール５が中間レール６と結合したままである。レバー２２がキャリヤレール３を離れて、図１に示したポジションにチルトされるまで、両者のレールはいっしょに外側に向かって動く。引き出しレール５と中間レール６の間の結合は、これにより解消される。続いて摩擦車２１がキャリヤレール３の摩擦面２４の上を動き、レール５、６の速度の異なる動きを生じる。
【００２１】
ダンパー１０に組み込まれた戻しバネは、ダンパー１０をふたたびスタンバイポジションにおく。
【図面の簡単な説明】
【図１】図１は、本発明の引き出し案内具付属品が、いっぱいに引き出されたポジションにあるときの側面略図である。
【図２】 図２は、本発明の引き出し案内具付属品が、さまざまな中間ポジションにあるときの側面図である。
【図３】図３は、本発明の引き出し案内具付属品が、さまざまな中間ポジションにあるときの側面図である。
【図４】図４は、本発明の引き出し案内具付属品が、さまざまな中間ポジションにあるときの側面図である。
【図５】図５は、本発明の引き出し案内具付属品が、さまざまな中間ポジションにあるときの側面図である。
【図６】図６は、その引き出し案内具付属品が、閉ポジションにあるときの側面図である。
【図７】図７は、抽斗が閉じているときの、本発明の引き出し案内具付属品の前部領域の側面図である。
【図８】図８は、図７をＡ−Ａの線で切った断面図である。
【図９】図９は、抽斗を一部引き出したときの、本発明の引き出し案内具付属品の前部領域の側面図である。
【図１０】図１０は、抽斗を開いたときの、本発明の引き出し案内具付属品ダンパー装置領域の、もう１つの実施形態の側面図である。
【図１１】図１１は、前図の引き出し案内具付属品の側面図であるが、この場合、ダンパーが作用を始めるところまで、抽斗が家具外身にスライド・インされている。
【図１２】図１２は、前図の引き出し案内具付属品の側面図であるが、抽斗は家具外身に完全にスライド・インされている。
【図１】
0004605970.tif 000002
【図２】
0004605970.tif 000003
【図３】
0004605970.tif 000004
【図４】
0004605970.tif 000005
【図５】
0004605970.tif 000006
【図６】
0004605970.tif 000007
【図７】
0004605970.tif 000008
【図８】
0004605970.tif 000009
【図９】
0004605970.tif 000010
【図１０】
0004605970.tif 000011
【図１１】
0004605970.tif 000012
【図１２】
0004605970.tif 000013